(57)【要約】【課題】  被溶着物の容器を開封した時に、容器の蓋を仮止めすることができないことである。【解決手段】  アンビルの上面に超音波振動子の振動端が挿入される挿入穴を儲けることにより、超音波振動子の振動端とアンビルの間に被溶着物の容器の蓋の端部を挟んで超音波振動子の振動端をアンビル方向に移動すると、超音波振動子の振動端の超音波振動で柔らかくなった被溶着物がアンビルの挿入穴に押し込まれ、それによって被溶着物の溶着突起が容器の蓋の周囲に形成されるので、容器の蓋を開いた後で、蓋の両側の溶着突起を合わせて挿入することにより、容器の蓋を仮止めすることができる。【選択図】図１
2005144930.tif 000002
【特許請求の範囲】
【請求項１】
超音波振動子の振動端とアンビルの間に被溶着物を挿入して、前記超音波振動子の振動端を前記アンビル方向に押し付けることにより、前記超音波振動子の振動端と前記アンビルの間に挿入した前記被溶着物を超音波振動で溶着するようにした超音波溶着器において、前記アンビルの上面に前記超音波振動子の振動端が挿入される挿入穴を形成し、前記超音波振動子の振動端を前記被溶着物に押し付けて前記アンビルの挿入穴に前記被溶着物を押し込むことにより、前記被溶着物に溶着突起を形成することを特徴とする超音波溶着器。
【請求項２】
前記超音波振動子の振動端に１つ又は複数の突起を形成するこを特徴とする請求項１記載の超音波溶着器。
【請求項３】
前記アンビルの挿入穴の底面に１つ又は複数の突起を形成するこを特徴とする請求項１記載の超音波溶着器。
【発明の詳細な説明】
【技術分野】
【０００１】
本発明は、被溶着物の容器を開封した時に、容器に形成した溶着突起によって仮止めをすることができる超音波溶着器に関するものである。
【背景技術】
【０００２】
従来、超音波溶着器は、図５に示すように、上部支持部材１と下部支持部材２の一方の端部に突出部１ａ、２ａを設け、この突出部１ａ、２ａに回動軸３を装着し、この回動軸３から離れた位置にバネ４を設け、又、上部支持部材１の他方の端部から振動端５ａが突出するように超音波振動子５を装着し、下部支持部材２に他端にアンビル６を装着し、超音波振動子５の振動端５ａとアンビル６の間に被溶着物７を挿入し、振動端５ａとアンビル６を互いに押し付け合うことにより、超音波振動が発生し、振動端５ａとアンビル６との間に挿入された被溶着物７を溶着するようにしたものが提案されている。
【０００３】
しかしながら、この超音波溶着器では、図６に示すように、アンビル６の上面６ａは平らに構成されるとともにぎざぎざが設けられ、又、超音波振動子５の振動端５ａの下面はアンビル６の上面と対応して平らにしているため、上部支持部材１と下部支持部材２を押して、超音波振動子５の振動端５ａとアンビル６の上面６ｂとで被溶着物７を溶着すると、被溶着物の容器は蓋を開いた時に固定するものがないので、輪ゴムや紐で容器の蓋を閉じなければならなかった。
【特許文献１】特願２００２−２２８２５３
【発明の開示】
【発明が解決しようとする課題】
【０００４】
解決しようとする問題点は、被溶着物の容器を開封した時に、容器の蓋を仮止めすることができないことである。
【課題を解決するための手段】
【０００５】
本発明では、アンビルの上面に超音波振動子の振動端が挿入される挿入穴を儲けることにより、超音波振動子の振動端とアンビルの間に被溶着物の容器の蓋の端部を挟んで超音波振動子の振動端をアンビル方向に移動すると、超音波振動子の振動端の超音波振動で柔らかくなった被溶着物がアンビルの挿入穴に押し込まれ、それによって被溶着物の溶着突起が容器の蓋の周囲に形成されるので、容器の蓋を開いた後で、蓋の両側の溶着突起を合わせて挿入することにより、容器の蓋を仮止めすることができる。
【発明の効果】
【０００６】
本発明の超音波溶着器は、アンビルの上面に超音波振動子の振動端が挿入される挿入穴を儲けることにより、被溶着物の容器の端部を溶着した時に、溶着突起が形成され、この溶着突起は剥がして蓋を開いた後に、再び閉じることができ、輪ゴムや紐等の他の仮止め物を使用する必要がないという利点がある。
【実施例】
【０００７】
図１は本発明の実施例の超音波溶着器の構成図で、１は上部支持部材、２は下部支持部材、３は回動軸、４はバネ、５は超音波振動子、６はアンビル、７は被溶着物であり、これらの構成は上記従来例と同じであるので、説明は省略するが、本実施例では、超音波振動子５の振動端５ｂの面積を従来例より小さくし、又、アンビル６を上面６ｂから超音波振動子５の振動端５ｂが挿入される挿入穴６ｃを形成し、この挿入穴６ｃは超音波振動子５の振動端５ｂの径より大きく形成する。
【０００８】
このように構成された本実施例の超音波溶着器では、超音波振動子５の振動端５ｂとアンビル６の間に被溶着物の容器７の上下の端部７ａを載置して、上部支持部材１及び下部支持部材２を挟持することにより、電源がオンとなり、振動端５ｂとアンビル６の間で被溶着物の容器７の端部７ａが加圧されて被溶着物の端部７ａが超音波振動で溶融され、さらに、超音波振動子５の振動端５ｂが押し込まれることにより、被溶着物の端部７ａはアンビル６の挿入穴６ｃに押し込まれて塑性変形され、図２に示すように、容器７の端部７ａに溶着突起７ｂが形成される。
【０００９】
このように形成された容器７の上下の端部７ａの溶着突起７ｂは内側だけが接着されているので、それを剥がすと、塑性変形された溶着突起７ｂが容器７の上下の端部７ａにそれぞれ残るので、容器７を開封した後、端部７ａに形成された溶着突起７ｂを互いに合わせて、一方の溶着突起７ｂを他方の溶着突起７ｂに挿入すると、この溶着突起７ｂの形成時に溶着突起は互いに密着しているので、剥がして溶着突起７ｂを互いに挿入しても、簡単に抜けることがなく、抜け止めの効果を十分発揮することができる。
【００１０】
図３は本発明の他の実施例の超音波溶着器の拡大構成図で、２は下部支持部材、５ｂは超音波振動子５の振動端、６はアンビル、６ｃは挿入穴、７は被溶着物の容器、７ａは端部であり、これらの構成は上記実施例と同じであるので、説明は省略するが、本実施例では、超音波振動子５の振動端５ｂの端部に突起５ｃを形成する。
【００１１】
このように構成した本実施例では、被溶着物の容器７の端部７ａがアンビル６の上に載置され、超音波振動子５の振動端５ｂを超音波振動させて、被溶着物７の端部７ａの上から振動端５ｂをアンビル６の挿入穴６ｃに押し込むと、超音波振動子５の振動端５ｂの端部の突起５ｃによって、被溶着物７の端部７ａの溶着突起７ｂの内側の一部７ｃだけが溶着されるので、この溶着された一部７ｃのみが剥がされて開封されることにより、容器７の端部７ａを簡単に開封することができ、又、容器７を開封した後、溶着突起７ｂを互いに合わせて、一方の溶着突起７ｂを他方の溶着突起７ｂに挿入すると、この溶着突起７ｂの形成時に溶着突起は互いに密着しているので、容器７の端部７ａを剥がして溶着突起７ｂを互いに挿入しても、簡単に抜けることがなく、抜け止めの効果を十分発揮することができる。
【産業上の利用可能性】
【００１２】
なお、上記実施例では、超音波振動子の振動端の端部に突起を１つ形成したが、振動端に複数の突起を設けてもよいし、又、アンビル側に１つ又は複数の突起を形成してもよい。
【図面の簡単な説明】
【００１３】
【図１】本発明の実施例の超音波溶着器の構成図である。
【図２】図１の超音波溶着器で溶着突起を形成した容器の斜視図である。
【図３】本発明の他の実施例の超音波溶着器の一部拡大構成図である。
【図４】従来の超音波溶着器の構成図である。
【図５】図４の超音波振動子の振動端とアンビルの斜視図である。
【符号の説明】
【００１４】
１                上部支持部材
２                下部支持部材
３                回動軸
４                バネ
５                超音波振動子
５ｂ              振動端
５ｃ              突起
６                アンビル
６ｃ              挿入穴
７                被溶着物の容器
７ａ              端部
７ｂ              溶着突起
７ｃ              溶着の一部
【図１】
2005144930.tif 000003
【図２】
2005144930.tif 000004
【図３】
2005144930.tif 000005
【図４】
2005144930.tif 000006
【図５】
2005144930.tif 000007